(57)【要約】【課題】ナビゲーションメッセージを搬送するＧＮＳＳ信号のロバスト性を高めること。【解決手段】ＧＮＳＳ無線信号は、連続するデータパケットとして送信されたナビゲーションメッセージを含む。同期シンボルヘッダーが先行する符号を適用することによって得られる複数のシンボルの１つのシーケンスとしてＧＮＳＳ無線信号内には各データパケットが存在する。これらデータパケットは、データフィールド内の内部に編成されており、連続するデータパケットの少なくとも所定のデータパケットは、前記符号を適用することにより同期シンボルパターンに変換された同期ビットフィールドを含む。【選択図】図１
2015528906.tif 000002
【特許請求の範囲】
【請求項１】
任意にグループ状および／またはサブグループ状に編成された、連続したデータパケットとして送信されるナビゲーションメッセージを含み、各データパケットは、同期シンボルヘッダーが先行する、符号を適用することによって得られるシンボルのシーケンスの形態となっており、前記データパケットは、データフィールドの内部に編成されている、ＧＮＳＳ無線信号であって、前記連続するデータパケットのうちの少なくとも所定のデータパケットは、前記符号を適用することにより同期シンボルパターンに変換された同期ビットフィールドを含むことを特徴とする、ＧＮＳＳ無線信号。
【請求項２】
前記連続するデータパケットの少なくとも６番目の各データパケットは、前記符号を適用することにより、同期シンボルパターンに変換された同期ビットフィールドを含む、請求項１に記載のＧＮＳＳ無線信号。
【請求項３】
前記連続するデータパケットの各データパケットは、前記符号を適用することにより、同期シンボルパターンに変換された同期ビットフィールドを含む、請求項１に記載のＧＮＳＳ無線信号。
【請求項４】
前記同期シンボルパターンおよび／またはデータパケットのサブグループ内の前記同期シンボルパターンの位置は、前記ＧＮＳＳ無線信号の送信機または送信機のグループを識別する、請求項１に記載のＧＮＳＳ無線信号。
【請求項５】
前記連続するデータパケットの少なくとも所定のデータパケットの各々は、連続するパケットのレベルにて異なる同期シンボルパターンが交互に位置するよう、複数の異なる同期ビットフィールドから選択された同期ビットフィールドを含む、請求項１〜４のうちのいずれか１項に記載のＧＮＳＳ無線信号。
【請求項６】
前記符号は、誤り訂正符号である、請求項１〜４のうちのいずれか１項に記載のＧＮＳＳ無線信号。
【請求項７】
前記符号は、例えば７の制限長さおよび１／２の符号化率を有する畳み込み符号である、請求項６に記載のＧＮＳＳ無線信号。
【請求項８】
前記同期ビットフィールドは、前記畳み込み符号の制限長さを考慮するパディングビットを含む、請求項７に記載のＧＮＳＳ無線信号。
【請求項９】
ナビゲーションメッセージの検出を含む、請求項１〜８のいずれか１項に記載の複数のＧＮＳＳ無線信号を受信するステップを含むＧＮＳＳ測位方法において、
前記ナビゲーションメッセージを検出するステップは、例えば前記同期シンボルヘッダーを検出することの他に、前記同期シンボルパターンを識別することを含むことを特徴とする、ＧＮＳＳ測位方法。
【請求項１０】
アシスト型ＧＮＳＳ測位方法である、請求項９に記載のＧＮＳＳ測位方法。
【請求項１１】
コンピュータプログラムがＧＮＳＳ受信機によって実行されるときに、前記ＧＮＳＳ受信機に請求項９または１０に記載の方法を実行させる命令を有するコンピュータプログラムを含むメモリ手段を備えた、ＧＮＳＳ受信機。
【請求項１２】
前記コンピュータプログラムがＧＮＳＳ受信機によって実行されるときに、前記ＧＮＳＳ受信機に請求項９または１０に記載の方法を実行させる命令を有するコンピュータプログラム。
【発明の詳細な説明】
【技術分野】
【０００１】
本発明は、衛星無線ナビゲーションの技術分野に関する。本発明は、衛星から送信される無線ナビゲーション信号（以下、「ＧＮＳＳ無線信号」または「ＧＮＳＳ信号」と称す）に関し、特にユーザーの受信機による地球測位を可能にまたは容易にするよう上記信号によりユーザーの受信機へ伝送されるナビゲーションメッセージに関する。
【背景技術】
【０００２】
ＧＮＳＳ信号（「宇宙内信号」セグメント）は、ＧＮＳＳ（「全地球衛星航法システム信号」）の宇宙インフラストラクチュアとその種々のユーザーセグメントとの間の主要インターフェースとなっている。この点に関し、この信号は、与えられた環境および使用コンテキストにおいてユーザーが利用できる性能の主要な役割を果している。その理由は、その性能が使用されている受信アルゴリズム（使用コンテキストの機能）と（伝搬状態によって影響を受ける）ユーザーに到達する信号の質の結果となっているからである。
【０００３】
信号のスペクトルおよび時間的特性、例えば、搬送周波数、電力または変調（ＰＲＮ，ＢＰＳＫ，ＢＯＣレート）パラメータは、相互運用性、トラッキング、および干渉ならびにマルチパスへのロバスト性等に関する性能を実質的に決定する。
【０００４】
ナビゲーションメッセージ自体も性能における決定的要素であり、このメッセージは、コンテントの点だけでなく、その構造による利用可能性（ロバスト性）および遅延性（すなわち、応答可能性）の点でもサービスを決定する。ナビゲーションメッセージは、とりわけ衛星からの軌道暦（ephemeris）とクロック補正データの組（「ＤＥＣＨ」）を含む。このＤＥＣＨの組は、受信機が衛星の位置および衛星のクロックの誤差を計算できるよう充分なデータの１つの組を平均化するものと見なされる。このナビゲーションメッセージは、捕捉性能、特に捕捉時間（「初期位置算出時間」としても知られる）に大幅に寄与する。
【０００５】
しかしながら、ＧＮＳＳ信号およびそのナビゲーションメッセージの設計構造は、意図する種々のサービス要件とコンテント（例えば、ガリレオでは、オープンサービス（ＯＳ），セイフティオブライフ（ＳｏＬ），捜索救助返信リンクメッセージ（ＳＡＲ  ＲＬＭ）等との間の妥協でもあり、この妥協では、性能目的（応答可能性およびロバスト性）と運用上または技術的制約（衛星の相互運用性、質量／利用量／ボリューム等）とが相反することが多い。
【発明の概要】
【発明が解決しようとする課題】
【０００６】
従って、ガリレオＥ１ 
ＯＳおよびＧＰＳ  Ｌ１Ｃ信号は、ＧＰＳ  Ｃ／Ａ信号と比較して多数の変更、例えば新しいナビゲーションメッセージ構造、ＰＲＮ符号、最適変調方式等を含む。双方の信号は、とりわけ基本的には、民生用受信機のオープンサービス向けのものであり、異なる環境（例えば、都会のビルの谷間）で運用されることが多い。しかしながら、これら２つの信号は、それらの設計が大幅に異なる。すなわち、ＧＰＳ  Ｌ１Ｃ信号は、オープンサービス用のものでしかないが、他方ガリレオＯＳ信号は、オープンサービスの取り扱いとリアルタイム完全データ（ＳｏＬ）およびＳＡＲリターンリンクチャンネル（ＳＡＲ  ＲＬＭ）の供給の双方を行うように設計されている。この結果、ガリレオのメッセージは、軌道暦および時間（クロック補正）データのアイテムだけでなく、追加データアイテムも含む。
【０００７】
特にガリレオオープンサービス（ガリレオＯＳ）からのナビゲーションメッセージ内で一斉送信される同期データには、ロバストネスが欠如しているという問題があると理解できよう。この情報は、受信機の位置を計算するために必要であるので、ロバストネスが低レベルであることは特に「困難」な環境、例えば都会のビルの谷間または建物の内部における捕捉スレッショルドに対するガリレオ受信機の性能に悪影響を与える。
【０００８】
本発明の目的は、有効な情報、特にナビゲーションメッセージを搬送するＧＮＳＳ信号のロバストネスを高めることにある。
【課題を解決するための手段】
【０００９】
上記問題を解決するために、ＧＮＳＳ無線信号は、任意にグループ(フレーム）状および／またはサブグループ（サブフレーム）状に編成された、連続したデータパケット（例えば、「ページ」または「半ページ］）として送信されるナビゲーションメッセージを含み、各データパケットは、同期シンボルヘッダーが先行する、（２進メッセージの符号ワードへの転換を保証する）符号を適用することによって得られるシンボルのシーケンスのＧＮＳＳ無線信号の形態となっており、前記データパケットは、データフィールドの内部に編成されている。本発明によれば、連続するデータパケットのうちの少なくとも所定のデータパケットは、符号を適用することにより同期シンボルパターンに変換された同期ビットフィールドを含む。
【００１０】
したがって、ナビゲーションメッセージは、搬送波周波数で変調されたシンボルのレベルで複数のグループの同期シンボルを含み、この同期シンボルヘッダーは、所定のパケットで生じる同期シンボルパターンと共に各データパケットのスタートをマークすることが理解できよう。2進メッセージのレベルでは同期シンボルヘッダーは、均等のものを有しない（送信に先立ち、シンボルのシーケンスにヘッダーが追加される）が、他方、同期シンボルパターンは、ナビゲーションメッセージの2進シーケンスに組み込まれたビットの１つのシーケンスに対応することに留意されたい。このビットシーケンスは、符号化後に所望する同期パターンを現すように選択されている。
【００１１】
したがって、所定のデータパケットが受信機に予め既知となっている同期シンボル（ヘッダーおよびパターン）の複数のシーケンスを有していると仮定すれば、特に信号対ノイズ比条件が悪い場合でも、受信機によるナビゲーションメッセージの検出の信頼性がより高くなる。
【００１２】
好ましくは、サブフレームごとの少なくとも１つのデータパケットは、符号を適用することにより、同期シンボルパターンに変換された同期ビットフィールドを含む。より好ましくは、連続するデータパケットの少なくとも６番目ごとのデータパケットは、符号を適用することにより、同期シンボルパターンに変換された同期ビットフィールドを含む。
【００１３】
本発明の好ましい実施形態によれば、連続するデータパケットの各データパケットは、符号を適用することにより、同期シンボルパターンに変換された同期ビットフィールドを含む。
【００１４】
同期シンボルパターンおよび／またはデータパケットのサブグループ（サブフレーム）内の同期シンボルパターンの位置を、１つの送信機（衛星または疑似衛星）もしくは送信機のグループに固有のものにすることができる。この場合、同期シンボルパターンおよび／またはデータパケットのグループ（サブフレーム）内の同期シンボルパターンの位置が、ＧＮＳＳ無線信号の送信機または送信機のグループを識別する。ＧＮＳＳで本発明を利用するため、送信機（衛星および／または疑似衛星）の複数のグループを定義することが可能であり、各グループは（サブフレームのうちの）時間内の異なる時刻に同期パターンを送信するようになっている。
【００１５】
本発明の好ましい実施形態によれば、連続するデータパケットの少なくとも所定のデータパケットの各々は、連続するパケットのレベルにて異なる同期シンボルパターンが交互に位置するよう、複数の異なる同期ビットフィールドから選択された同期ビットフィールドを含む。複数の同期シンボルパターンは、アンビギュイティ時間を長くすると理解できよう。例えば、各々が２秒の時間長さを有するパケット上で３つの同期シンボルパターンが交互に位置する場合、得られるアンビギュイティは、６秒となる。この解決方法の利点は、システム時間が既知となっている精度の制約が受信機に対して緩和されるということである。
【００１６】
好ましくは、2進シンボルメッセージを転換するのに使用される符号は、誤り訂正符号である。この符号は、例えば（ガリレオＯＳ  Ｅ１信号のナビゲーションメッセージの場合のように）制限長さが７であり、符号化率が１／２であるような畳み込み符号にすることができる。
【００１７】
同期ビットフィールドは、好ましくは畳み込み符号の制限長さを考慮したパディングビットを含む。この畳み込み符号のメモリ効果として、前のフィールドのコンテントに応じ、同期ビットフィールドに符号を適用することによって得られる第１シンボルが得られる。このパディングビットは、前のフィールドのコンテントの変化によって同期パターンが影響されないように保証できる。
【００１８】
本発明の別の様相は、上記のように複数のＧＮＳＳ無線信号を受信するステップを含むＧＮＳＳ測位方法にある。ナビゲーションメッセージの受信は、ナビゲーションメッセージを検出すること（任意で必ずしも復号化を含まない）を含む。ナビゲーションメッセージを検出するステップは、例えば同期シンボルヘッダーを検出することの他に、上記同期シンボルパターンを識別することを含む。
【００１９】
このＧＮＳＳ測位方法は、ナビゲーションメッセージを除く送信チャンネルによって、ナビゲーションメッセージ内に含まれる情報アイテムまたは同様な情報アイテムが受信機に送信されるようになっている、アシスト型ＧＮＳＳ測位方法（Ａ−ＧＮＳＳ方法）でよいことが理解されよう。特に、同期シンボルパターンが存在することによりＡ−ＧＮＳＳ受信機は、ナビゲーションメッセージを復号化（かつその内容にアクセス）することなく、ナビゲーションメッセージにより良好に同期できると理解できよう。
【００２０】
本発明の別の様相は、コンピュータプログラムがＧＮＳＳ受信機によって実行されるときに、前記ＧＮＳＳ受信機に上記方法を実行させる命令を有するコンピュータプログラムを含むメモリ手段を備えた、ＧＮＳＳ受信機にある。
【００２１】
最後に、本発明は、コンピュータプログラムがＧＮＳＳ受信機によって実行されるときに、前記ＧＮＳＳ受信機に上記方法を実行させる命令を有するコンピュータプログラムにも拡張できる。
【図面の簡単な説明】
【００２２】
以下、添付図面を参照して説明する一部の好ましい実施形態の詳細な説明から、本発明の上記以外の顕著な特性および特徴が明らかとなろう。
【図１】Ｅ１−Ｂ信号成分によって提供されるガリレオＩ／ＮＡＶ無線ナビゲーション信号の構造の図である。
【図２】Ｅ１−Ｂ信号成分上のＩ／ＮＡＶ無線ナビゲーションメッセージのサブフレームの構造の図である。
【図３】本発明の第１の変形例に係るＩ／ＮＡＶ無線ナビゲーションメッセージのサブフレーム構造の図である。
【図４】本発明の第２の変形例に係るＩ／ＮＡＶ無線ナビゲーションメッセージのサブフレーム構造の図である。
【図５】本発明の第３の変形例に従って変更されたＩ／ＮＡＶ無線ナビゲーションメッセージのサブフレーム構造の図である。
【図６】本発明の第３の変形例に従って変更されたＩ／ＮＡＶ無線ナビゲーションメッセージのサブフレーム構造の図である。
【図７】本発明の第３の変形例に従って変更されたＩ／ＮＡＶ無線ナビゲーションメッセージのサブフレーム構造の図である。
【図８】同期シンボルパターンを発生するための方法を示すフローチャートである。
【発明を実施するための形態】
【００２３】
以下説明する本発明の実施例は、ガリレオナビゲーションシステムのＥ１−Ｂ成分（Ｅ１  ＯＳ信号のデータチャンネル）で送信されるＩ／ＮＡＶナビゲーションメッセージに基づくものであり、この実施例では、変更例が提案されている。しかしながら、この選択案は、単に本発明を説明するために記載したものにすぎず、この選択案は、（ガリレオ、ＧＰＳ，グロナス，コムパスなど、又は地域システムからの）その他のＧＮＳＳ信号でも実施できることに留意されたい。更なる情報は、ウェブサイト：ｈｔｔｐ：／／ｅｃ．ｅｕｒｏｐａ．ｅｕ／ｅｎｔｅｒｐｒｉｓｅ／ｐｏｌｉｃｉｅｓ／ｓａｔｎａｖ／ｇａｌｉｌｅｏ／ｏｐｅｎ−ｓｅｒｖｉｃｅ／ｉｎｄｅｘ  ｅｎ＿ｈｔｍ．にて欧州委員会から２０１０年９月に発行された「宇宙インターフェース管理文書における欧州ＧＮＳＳ（ガリレオ）オープンサービス信号」第１．１版（以下、ガリレオＯＳ  ＳＩＳ  ＩＣＤ）を参照することによって入手できる。
【００２４】
ガリレオＩ／ＮＡＶメッセージは、７２０秒の１つのフレームからなり、このフレームは、各々が３０秒の２４個のサブフレームに分割されている。各サブフレームは、２秒の１５ページからなり、各ページは、１秒の長さの、偶数部分と奇数部分からなる。図１にＩ／ＮＡＶメッセージの構造が略図で示されている。
【００２５】
１ページのうちの偶数部分および奇数部分は、有効データの１２０ビットからなり、従って、完全な１ページは、２４０ビットの有効情報を含む。これらビットは、（制限長さＬ＝７および符号化率Ｒ＝１／２の）畳み込み符号で符号化されており、符号化の後で、１２０ビットの有効データが２４０個のシンボルに変換され、これらシンボルには、ヘッダーとして１０シンボルの同期化ヘッダーが追加されている。従って、半ページは、２５０個のシンボルを含む。
【００２６】
図２は、ガリレオＯＳ  Ｅ１−Ｂの１つのサブフレームのコンフィギュレーションを示す。各ページ（奇数の半ページおよび偶数の半ページ）は、１２８ビットのデータフィールドを含み、このフィールドは、「ワード」として知られており、ページのうちの２つの部分（それぞれ、１６ビットと１１２ビットに分割されている）にわたって分散されている。
【００２７】
ワードは、ナビゲーション受信機の位置を計算するためにナビゲーション受信機が使用する情報のアイテム（軌道暦（ephemeris）、ガリレオシステム時間、クロック補正、電離層補正、衛星暦（almanacs）等）を含む。
【００２８】
ガリレオＯＳ  ＳＩＳ  ＩＣＤでは、コンテント（ワード１から１０）に応じ、１０のタイプのワードが定義されている。「スペア」（フリー）のワード、すなわち、有効情報を含まないワードに対し１１番目のタイプが保留されている。
【００２９】
ハーフページは、データパケットを示し、符号化後でこれらデータパケットに同期シンボルヘッダーが先行する。ガリレオＯＳ  Ｅ１−Ｂ信号に本発明を実施し、図示された実施例として示すために、各奇数半ページの「保留された１」に2進同期ワードを設けることを提案する。このフィールドは、サイズが４０ビットであるので、畳み込み符号により一旦８０個のシンボルに変換される同期シンボルパターンとなる４０ビットの１つのシーンケンスを定義することが課題である。前記符号（Ｌ＝７およびＲ＝１／２）のメモリ効果によって、最初の１２個のシンボルは未知となる。したがって、この同期情報は、６８個のシンボルにわたってしか符号化できない。
【００３０】
（畳み込み符号メモリ効果を考慮するために設けられるパディングビットを含む）同期ビットのシーケンスを選択することが可能であり、それによって捕捉スレッショルドを３ｄＢより大きく下げることが可能となる。畳み込み符号を加えることにより、適切な自己相関特性を有する同期シンボルとなるような同期ビットのシーケンスを選択することが課題である。
【００３１】
図３に示された第１の変形例によれば、各奇数半ページの「保留された１」内に同じ同期ビットフィールド（すなわち同じシーケンスのビット）が挿入される。この結果得られる時間のアンビギュイティは、２秒となる。
【００３２】
図４に示された第２の変形例によれば、各サブフレームの奇数の半ページの「保留された１」フィールド内に３つの異なる同期ビットフィールドが交互に配置される。この結果得られる時間アンビギュイティは６秒となる。
【００３３】
図５〜７には（空間ダイバーシティが追加された）第３の変形例が示されている。Ｎｓａｔ個の衛星のＮｇ個のグループを検討する。１つの同じグループのすべての衛星が、サブフレーム内の同一時刻に同期シンボルパターンを送信する。
【００３４】
複数のグループは、異なる時刻に同期シンボルパターンを送信する。この方法の利点は、時間アンビギュイティがＮｇによって倍増されることであり、このことによってシステム時刻を知る精度に対する制約が緩和される。
【００３５】
１グループにつき１０機のガリレオ衛星を含む３つのグループがある場合、６秒の時間アンビギュイティに達する。第１グループは、時刻Ｔ０＝０，６，１２，１８および２４でスタートするページ内の第１同期パターンを送信する（図５）。第２グループは、時刻Ｔ０＝２、８、１４、２０および２６でスタートするページ内の第２同期パターンを一斉送信する（図６）。第３グループは、時刻Ｔ０＝４，１０，１６，２２および２８でスタートするページ内の第３同期パターンを一斉送信する（図７）。
【００３６】
図８は、同期シンボルパターン（および対応するビットシーケンス）を捜すための可能な方法を示す。Ｎｓは、同期シンボルパターンの（シンボル内の）長さとして表記されている。（最初の１２個のシンボルは前のフィールドのコンテントに依存するので、「保留された１」のフィールドの例では、Ｎｓ＝６８である。）この目的は、最適な同期特性を有することである。すなわちシーケンスの自己相関機能（ホワイトノイズの機能に類似する、すなわちクロネッカーデルタ関数に最も近い自己相関機能）によって所定の数の性能基準を満足するＮｓのシンボルの１つのシーケンスを決定することである。
【００３７】
図８に示されるように進行させることも可能である。長さｋ＝２ｎ−１（ここで、ｎは、整数を示し、ｋ＜Ｎｓである）のシンボルのシーケンスＳ１を選択する。特に「最大長さのシーケンス」としても知られるｍシーケンスを選択する。疑似ランダムシーケンスは、（ホワイトノイズの特性に極めて近い）最適な自己相関特性を有する。連結されたシーケンス［Ｓ１、Ｓ２］が自己相関特性に対して定められた条件を満足するように、長さｐ＝Ｎｓ−ｋのシンボルのシーケンスＳ２を求める。シーケンスＳ２に対して２ｐ個の候補シーケンスが存在する。したがって、シーケンスＳ２を求めるとき、すべての可能なシーケンスから最良の候補シーケンスを選択する。
【００３８】
次に、Ｎｓ・Ｒビット（ここでＲ＝訂正符号の符号化率である）を捜すために、（例えばビタルビ復号器を使って）Ｎｓシンボルの連結されたシーケンス［Ｓ１、Ｓ２］を復号化する。このステージでは、（訂正符号を適用することにより）長さＮｓ＋（Ｌ−１）／Ｒの長さの「最良の」シンボルシーケンスＳ３を生じさせる、シーケンスＢ１の前に置くべきＬ−１ビット（Ｌ＝畳み込み符号の制限長さ）のシーケンスＢ２を捜す必要がある。このシンボルの「最良の」シーケンスは、最良の自己相関特性を最終のＮｓのシンボルが有するようなシーケンスを平均化するものと見なされる。Ｌ−１の充填ビットの２Ｌ−１の可能なシーケンスがあるので、２Ｌ−１個の候補シンボルシーケンスを評価しなければならない。この評価のうちで、最良の同期特性を有する１つを選択する。
【００３９】
長さｋのシンボルシーケンスＳ１の一組に対してこの方法を繰り返す。最良の結果を生じさせるようなＮｓのシンボルのシーケンスおよびＬ−１個の充填ビットのシーケンスを最終的に選択する。
【図１】
2015528906.tif 000003
【図２】
2015528906.tif 000004
【図３】
2015528906.tif 000005
【図４】
2015528906.tif 000006
【図５】
2015528906.tif 000007
【図６】
2015528906.tif 000008
【図７】
2015528906.tif 000009
【図８】
2015528906.tif 000010
【手続補正書】
【提出日】平成25年9月6日(2013.9.6)
【手続補正１】
【補正対象書類名】特許請求の範囲
【補正対象項目名】請求項１
【補正方法】変更
【補正の内容】
【請求項１】
任意にグループ状および／またはサブグループ状に編成された、連続したデータパケットとして送信されるナビゲーションメッセージを含み、各データパケットは、同期シンボルヘッダーが先行する、符号を２進状のデータに適用することによって得られるシンボルのシーケンスの形態をとり、前記データパケットはデータフィールドの内部に編成されている、ＧＮＳＳ無線信号であって、前記連続するデータパケットのうちの少なくとも所定のデータパケットは、前記符号を適用することにより同期シンボルパターンに変換された同期ビットフィールドを含むことを特徴とする、ＧＮＳＳ無線信号。
【国際調査報告】
2015528906.tif 000011
2015528906.tif 000012
2015528906.tif 000013
2015528906.tif 000014
2015528906.tif 000015
2015528906.tif 000016